(57)【要約】【課題】高周波のノイズ環境の下でも効率のよいインプットキャプチャ方式の通信ができるようにする。【解決手段】受信した信号をインプットキャプチャ回路で処理して得られたデータをメモリに転送して記憶し、そのメモリに記憶されているデータを基に所定の演算処理を行う通信装置において、前記インプットキャプチャ回路から出力されるデータのパターンを検出する検出手段と、その検出手段で所定のデータのパターンが検出されたときに、それ以降のデータを前記メモリに転送させて記憶させる記憶制御手段とを有する。【選択図】　　　図１
2004021584.tif 000002
【特許請求の範囲】
【請求項１】
受信した信号をインプットキャプチャ回路で処理して得られたデータをメモリに転送して記憶し、そのメモリに記憶されているデータを基に所定の演算処理を行う通信装置において、
前記インプットキャプチャ回路から出力されるデータのパターンを検出する検出手段と、
前記検出手段で所定のデータのパターンが検出されたときに、それ以降のデータを前記メモリに転送させて記憶させる記憶制御手段と、
を有することを特徴とする通信装置。
【請求項２】
請求項１に記載の通信装置において、メモリに転送されてくるデータ中に所定の終了データを含むときに、そのメモリへのデータの記憶を中止する中止手段を設けたことを特徴とする通信装置。
【請求項３】
請求項１又は２に記載の通信装置において、受信する信号は、非接触券から送出されてくるものであることを特徴とする通信装置。
【発明の詳細な説明】
【０００１】
【発明の属する技術分野】
本発明は、インプットキャプチャ方式の通信装置に係り、特に、非接触式自動改札機に適用可能な通信装置に関する。
【０００２】
【従来の技術】
本出願人は、先に、特願２００１−４８７９９号において、インプットキャプチャ方式の通信装置を提案している。この提案に係る通信装置は、タイマカウンタから入力されたクロック信号に基づいて所定の入力信号の立下り，立上りのインプットキャプチャ値を検出するとともに、その所定の入力信号の立下り，立上り時にそのタイマカウンタをリセットするインプットキャプチャ回路と、前記タイマカウンタからのカウンタ値を入力し、その入力されたカウンタ値が前記所定の入力信号に含まれる所定のデータ長より大きくなったときに割込信号を出力するアウトプットコンペア回路と、検出されたインプットキャプチャ値に基づいてデータを生成するとともに、前記アウトプットコンペア回路からの割込信号によりデータの終了を検出するデータ生成手段とから構成されている。この提案に係る通信装置は、高速通信が可能で、しかも、装置を小型化することができる等の特長を有している。
【０００３】
【発明が解決しようとする課題】
ところで、インプットキャプチャ方式の通信装置において、その装置のＣＰＵが受信処理以外に何も他の処理をすることがなければ、常時、キャプチャ値を監視してデータを復元することが可能であるが、他に処理があると、すなわちタイマー割込みなどの他の割込処理があると、その割込処理によってデータ復元処理が阻害されて正常なデータ復元処理ができなくなるおそれがあった。
【０００４】
このような問題点を解決するために、受信したキャプチャ値をＣＰＵを介さずに先にメモリに転送しておき、つまり、ＤＭＡ転送でキャプチャ値をメモリに転送しておき、後に、そのメモリに格納（記憶）されているキャプチャ値に基づいてデータを復元することも可能だが、非接触式自動改札機のような周波数の高いノイズの多い環境の下では、そのまま採用することができないという欠点があった。すなわち、ノイズの多い環境の下では、そのノイズによりメモリが、即、満杯になり、正常なデータ（非接触式自動改札機の場合は、非接触券から送出されてくる乗車区間や有効期間等のカードデータ）の復元ができなくなる欠点があった。
【０００５】
そこで、本発明は、上記欠点を解決するためになされたものであって、その目的は、周波数の高いノイズが多い環境の下でもＤＭＡ転送可能なインプットキャプチャ方式の通信装置を提供することにある。
【０００６】
【課題を解決するための手段】
本発明に係る通信装置は、上記目的を達成するために、請求項１に記載の発明は、受信した信号をインプットキャプチャ回路で処理して得られたデータをメモリに転送して記憶し、そのメモリに記憶されているデータを基に所定の演算処理を行う通信装置において、前記インプットキャプチャ回路から出力されるデータのパターンを検出する検出手段と、その検出手段で所定のデータのパターンが検出されたときに、それ以降のデータを前記メモリに転送させて記憶させる記憶制御手段と、を有することを特徴としている。
本発明の請求項２に記載の通信装置は、メモリに転送されてくるデータ中に所定の終了データを含むときに、そのメモリへのデータの記憶を中止する中止手段を設けたことを特徴としている。
本発明の請求項３に記載の通信装置は、受信する信号は、非接触券から送出されてくるものであることを特徴としている。
【０００７】
【発明の実施の形態】
以下、本発明の実施の形態を図面に基づいて説明する。図１は、一実施の形態に係る通信装置を非接触式自動改札機のリーダライタに適用したときの概略構成を示すブロック図である。
【０００８】
図中、１は、アンプやフィルタ回路からなる受信回路であって、アンテナ１ａで受信された信号を処理することができるように構成されている。このアンテナ１ａは、図示しない非接触式自動改札機の本体（以下、「改札機本体」という。）を形成する筐体の改札通路入口側上面に設けられている。そして、このアンテナ１ａを介して非接触券Ｃから送出されてくる、非接触券のＩＤ、乗車区間、有効期間、あるいは金額データ（ＳＦデータ）等の所定のカードデータを受信することができるように構成されている。
【０００９】
非接触券は、周知の非接触券と同様に、無線通信機能を備えたＩＣカードから構成されている。そして、非接触券Ｃは、利用者（旅客）によってアンテナ１ａの通信範囲にかざされると、または、そのアンテナ１ａに軽くタッチされると（以下、かざしで説明する。）、改札機本体から送出される電力波受けて駆動され、その非接触券Ｃのメモリ（図示せず）に記憶されているカードデータが受信回路１によって受信されるように構成されている。なお、このカードデータは、後述するが、データ当初のパターンは、所定のパターンに形成されている。
【００１０】
図中、２は、周知のインプットキャプチャ回路であって、タイマカウンタ２ａから得られるクロック信号に基づいて受信回路１から出力される信号の立下り，立上りによりインプットキャプチャ値を検出することができるように構成されている。そして、この検出されたキャプチャ値は、ＤＭＡ転送方式でメモリ３に記憶されるように構成されている。
【００１１】
図中、４は、ＣＰＵであって、リーダライタ全体を統括的に制御できるように構成されている。また、このＣＰＵ４は、メモリ３に記憶されているカードデータを基に所定の入出場の演算処理を行い、その処理結果を改札機本体のＣＰＵを中心に形成された図示しない制御器に送出することができるように構成されている。したがって、改札機本体の制御器は、ＣＰＵ４から送出されてくるデータに基づいてドアの開閉制御等を行うことができる。
【００１２】
図中、Ｄは、インプットキャプチャ回路２で生成されるデータを模式的に示したもので、この生成されたデータ中には、非接触券Ｃがアンテナ１ａにかざされる前のノイズに起因するデータｎと、その後に非接触券Ｃがアンテナ１ａにかざされたときのデータｄとが含まれている。カードデータｄの当初には、所定の一定のデータパターンｄ０　が存在している。この所定の一定のデータパターンｄ０　は、受信している信号は非接触券から送出されたものであることを示し、この後に、非接触券ＣのＩＤ等の個有のカードデータが存在している。
【００１３】
上記構成からなる通信装置の制御動作を図２のフローチャートに基づいて説明する。今、改札機本体が稼動中で非接触券Ｃを用いた入出場処理が可能状態にあるとする（ステップ１００肯定。以下、ステップを「Ｓ」とする。）。
【００１４】
改札機本体の設置環境は、高周波のノイズ環境にあるため、アンテナ１ａに非接触券Ｃがかざされなくともノイズもにきいんする信号が受信され、その信号もインプットキャプチャ回路２で処理される（Ｓ１０２）。しかし、そのノイズに基づくデータのパターンは、非接触券Ｃのカードデータｄの初期に含まれる所定のデータパターンｄ０　と異なるために、そのデータは、メモリ３に転送されて記憶されることなく廃棄される（Ｓ１０４否定）。
【００１５】
このカードデータｄの初期に含まれる所定のデータパターンｄ０　は、全ての非接触券に共通なので、この所定のデータパターンが表れたとき、改札機本体ではアンテナ１ａに非接触券Ｃがかざされたと判定することができる。このため、インプットキャプチャ回路２から出力されるデータは、メモリ３に転送されて記憶される（Ｓ１０６）。カードデータｄ中には、カードデータの終了を示す所定のデータが含まれているので、又は、非接触券Ｃがアンテナ１ａから離れてしまうと、カードデータが途切れるので、このときは、インプットキャプチャ回路２からのデータの取込みは中止される（Ｓ１０８肯定、Ｓ１１０）。その後、ＣＰＵ４では、メモリ３に記憶されているデータに基づいて所定の入出場の演算処理が行われる（Ｓ１１２）。そして、その演算処理の結果は、図示しない改札機本体の制御器に送出される。したがって、改札機本体の制御器は、ＣＰＵから得た情報に基づいてドアの開閉制御等を行うことができる。
【００１６】
なお、上述の例では、通信装置を非接触式自動改札機に組込んだ例を示したが、他の機器に組込まれるものであってもよいことはもちろんである。
【００１７】
【発明の効果】
本発明の請求項１に記載の通信装置は、インプットキャプチャ回路から出力されるデータのパターンを検出する検出手段と、その検出手段で所定のデータのパターンが検出されたときに、それ以降のデータを前記メモリに転送させて記憶させる記憶制御手段とを有するので、メモリがノイズにより満杯になるのを防止することができる。
本発明の請求項２に記載の通信装置は、メモリに転送されてくるデータ中に所定の終了データを含むときに、そのメモリへのデータの記憶を中止する中止手段を設けたので、所定の必要なデータのみをメモリに記憶させることができる。
本発明の請求項３に記載の通信装置は、受信する信号は、非接触券から送出されてくるので、非接触式自動改札機を効率よく運転することができる。
【図面の簡単な説明】
【図１】本発明の一実施の形態に係る通信装置を非接触式自動改札機のリーダライタに適用したときの概略構成を示すブロック図である。
【図２】制御動作を示すフローチャートである。
【符号の説明】
１　受信回路
１ａ　アンテナ
２　インプットキャプチャ回路
２ａ　タイマカウンタ
３　メモリ
４　ＣＰＵ
Ｃ　非接触券
【図１】
2004021584.tif 000003
【図２】
2004021584.tif 000004